(57)【要約】      （修正有）【課題】災害現場より遺体を収容し、遺体現場で検死を受けて遺体の汚れを拭き取り、棺に入替えて、次に火葬にするという一連の作業を少ない人数で行うには、遺体になるべく触れずにスムーズに棺に入れ変えなければならない。そこで、軽量かつコンパクトで保管や緊急時の運搬・移動・稼動が簡便で、大量需要・大量処理に備える事が出来、また木材を使用しない環境にやさしく、焼却時のエネルギー消費を抑える事も出来る。災害時用の棺パックを提供できる。【解決手段】遺体の持運びのために紐２０をつけた長方形のふろしき状の布体１０にした事。遺体の背中の部分に当たる所にハニカム状板体を素材にした。このまま火葬にする事ができるが、法で棺に入れ替える事になっているので、ハニカム板状の段ボール（再生紙）を素材にした棺桶を作り、遺体を捜して歩く遺族の為にのぞき窓をつけた。【選択図】図１
2006167418.tif 000002
【特許請求の範囲】
【発明の詳細な説明】
【発明の詳細な説明】
【００１】発明が属する技術分野
この発明は、地震、災害など緊急時の遺体の保全、安置、保管、搬送、火葬処理を容易にする棺パックに関する技術。
【００２】従来の技術
【００３】従来、緊急時の棺（柩）は、木材、合板等からなり、長方形箱型で上部を天蓋で覆い、接着剤又は、釘で組み立てたものが大部分であった。
【００４】現在の日本の棺桶の７０％が中国からの輸入であり、その殆どがフラッシュ棺といって合板材である。
このフラッシュ棺は、接着剤、化学塗料、化学繊維等が使用されており、焼却時のダイオキシンの発生の原因ともなっている。
しかも中国では、森林資源保護の為、海外輸出用棺桶の木材使用を禁止する措置を取っており、近い将来、中国からの棺桶の輸入が無くなる方向にある。また、欧米諸国では、森林資源破壊、大気汚染防止の為、火葬する地域は段ボール棺が主流になりつつある。
【００５】また、自治体は、災害時応急対策計画の中で、災害時の備蓄用として、死体収容袋、棺の備蓄を提唱しているが、従来の棺では、重量、大きさなど使いづらいし、保管スペースを多く要するという問題がある。即ち、常備品としての在庫は、倉庫に保管の為、相当のスペースを必要とするし、コスト、輸送の面からも制約を受ける事になる。
【００６】また、地震、洪水等の災害時、又は緊急時における過去の状況から推測すると要員不足は当然であり、従来商品では２人でのハンドリング、特に搬送移動、稼動は困難であるし、通信交通網の寸断で大型トラック、トレーラー輸送、鉄道貨物等の物流手段からの物資輸送には多くの問題があると考えられる。また、材質である天然木材の使用は、環境自然破壊となるばかりでなく、木材が変質する事もあり、また、含水比の関係から反り、曲がりが起こる事があった。
しかも遺体焼却の燃焼時間を短縮するには従来商品では焼却温度を上げる以外に方法がなく、温度上昇は燃料増加につながり、環境公害と自然破壊の面で問題があった。
【００７】阪神大震災の場合を例にあげると、死者６，４００人余りの遺体を火葬するのに、約３ヶ月の期間を要した。人間死体は長期間経過すると大量の分泌物（水分）を発生する。その為従来の棺では保全出来ない。
【００８】従来技術としては、死体収容袋、そして棺桶と特許文献には、類似した技術のものがあるが、上記の問題点を総合的に解決する技術は未だ開発されていない。
【００９】本発明が解決しようとする課題
災害時に収容された遺体は、検死の後、汚水等を拭き取り棺桶に入れかえる事になっている。その為、袋と棺をセットにしたものが必要である。そこで、軽量かつコンパクトで保管や緊急時の運搬移動が簡便で大量需要、大量処理に備える事が出来、また焼却時のエネルギー消費を抑える事が出来る「棺パック」により従来技術の問題点を解決しようとするものである。
【００１０】［特許請求の範囲］
【００１１】袋状棺パックの場合、袋部を布体とし、底部に底板体を配置した事を特徴とする。
【００１２】底板体にはハニカム板体を素材とした事を特徴とする。
【００１３】該袋部には、紐体がついている事を特徴とする。
【００１４】該組体を帯状に加工し、持ち運びを容易にした事を特徴とする。
【００１５】箱状棺パックの場合、板体部をハニカム段ボールにした事を特徴とする。
【００１６】該板体部のうち、天蓋部分に窓を取り付ける事を特徴とする。
【００１７】［発明の実施の形態］
以下、本発明の実施の形態について図面を参照しながら説明する。
図１は本発明に係る実施例１の袋状棺パックの使用前平面図、図２は同袋状棺パックの使用前底面図、図３は同袋状棺パックの使用時側面図、そして、図４は別の実施形態に係る袋状棺パックの使用時側面図である。
【００１８】（全体形状）
本実施形態に係る袋状棺パックは図１に示すように、展開すると所定厚みで長方形状の底板体３０と、該底板体３０の週部に配置される布体１０と、同底板体３０の長辺側両週部に配置される紐体２０とからなる。（図１参照）
【００１９】（布体１０）
底板体３０（詳細は後述）の外周の４辺に、例えば、帆布からなる布体１０が取り付けられる。即ち、底板体３０の長辺側の前後の両側には、底板体３０の外形に合わせて幅４５ｃｍ、長さ１９０ｃｍの長方形状の前後布部１１が一体に取り付けられ、また、その短辺側の左右両側には幅３０ｃｍ、長さ６０ｃｍの長方形状の左右布部１２がそれぞれ一体に取り付けられる
【００２０】これらの布体１０の製造手段としては、底板体３０の周縁にそれぞれ個別に装着してもよいが、好ましい製造手段としては、図２に示すように、前後布部１１用として、底板体３０の大きさを含む大きさの布（１５０ｃｍ×１９０ｃｍ）を準備する。そして、その布に、左右布部１２用として、底板体３０の大きさを含む大きさの布体（６０ｃｍ×２５０ｃｍ）を交差するように縫製により装着する（布縫付部１４）。そして、上記前後布部１１用の布体と左右布部１２用の布体との重なり部分（底布部１３）に底板体３０が配置されることになる。この製造手段によれば、底板体３０部分は２枚の布体により支持されることになる。
【００２１】なお、上記手段に代えて、前後布部１１用として、底板体３０の大きさを含む大きさの布体（１５０ｃｍ×１９０ｃｍ）を準備し、その布体の両側（１５ｃｍ側）に左右布部１２を縫製により装着してもよい。したがって、この製造手段によれば、底板体３０は１枚の布体により支持されることになり、布の使用量がその分少なくてすむ。また、この布体１０の製造手段としては、１枚の帆布を十字状に裁断するだけで製造してもよく、布体の素材としては、帆布以外に、防水・防臭機能が高い他の素材を用いてもよい。
【００２２】（紐体２０）
上記いずれかの手段より一体化され、略十字形状に縫製された布体の中央部分（底板体３０が位置する部分）に、図２に示すように、１９０ｃｍ側の辺部に向けて、１２０ｃｍ程度の長さの紐体２０を略等間隔に縫製により装着する。（紐縫付部２４）。紐体２０は、袋状棺パックの持ち運びを容易にするために、帯状に加工されていることが望ましい。また、遺体を持ち上げることから、所定以上の引張力に対して耐えることができる素材が必要である。
【００２３】（底板体３０）
上記のように紐体２０が装着された布体１０の中央部に底板体３０を配置させ、布体１０との一体化させる。底板体３０は、紙製のダンボールからなり、大きさは、例えば幅６０ｃｍ、長さ１９０ｃｍとする。その構造はハニカムボードとなっている。ハニカムボードは再生紙から製造（リサイクル）されたものを基本材とし、外装はフスマ（小麦かす）を主原料としたオカパックシート貼り（胴材に似た化粧紙）から成る。この素材によれば強度があるため担架として使用することも可能である。
【００２４】（使用方法）    上記のように構成された袋状棺パックは、当然のことながら折りたたみが可能で、その外形は底板体３０の外形より若干大きい程度であり、厚みも底板体３０の厚みに加えて、布体１０の２〜３枚の厚みを加えた程度の厚みにしかならない。そして、この袋状棺パックに遺体を収納するときには、図１に示す状態に配置し、底板体３０上に遺体を載置した後、前後布部１１により遺体の頭部と足部を蔽い、次に、左右布部１２を遺体の上部を蔽って遺体をくるみ、紐体２０により固定する（結び部２２）。なお、図４に示すように、紐体２０の内、両端部位置の紐体２０を長くして（長紐２１）、運搬者が肩に掛けて運べる程度の長さにしておけば便利である。なお、紐体２０は、別途搬送用のものを付設してもよい。
【００２５】（効果）
以上の袋状棺パックによれば、従来品と比べ組み立て操作が簡単になる上、素材は軽くて強いハニカムボード（段ボール）と大部分が帆布を縫製したものであり、廉価となる。また、材質及び原料の主体が綿糸、絹製品であり、金属・プラスチックは一切使用していないため森林伐採の環境自然破壊もなく、環境問題の問題をすべてクリアーする。
【００２６】しかも、折り畳み又は折り込むことでの軽薄短小を狙ったもので、保管倉庫も従来に比べスペースを取らない上、迅速なデリバリィと大量製品の出荷が可能であると同時に、ハンドリングに手間がかからない。また、帯状に加工した帯び紐を手持ちハンガーとして、又は肩から掛けることで二人で持ち運び又は移動、可動の搬送を容易にした。しかも、そのまま棺に収容でき、棺への入替の二重手間が省ける。更に、二人での搬送が容易となり、手数を大幅に少なくすることができる。
【００２７】地震、災害対策時の大量需要、大量処理に備えるための備蓄製品の長期保存収納が必要であり、材質変化の物質的、化学的な経年変化への備えと保管倉庫料の低減が図られる。また、過去の環境や状況から推測し通信交通網を寸断されるが、分散された防災備蓄倉庫への保管や、コンパクトにした荷物としてオートバイ、ヘリコプターなど物資輸送が容易になり、寝袋、安眠バックとしても転用できる。また、上記実施形態においては、底板体３０の４周に布体１０を配置したが、必ずしも４周である必要はなく、例えば、左右布部１２又は前後布部１１は、それぞれ２枚の内、どちらか一方のみであっても良い。
【００２８】［箱状棺パック］
箱状棺パックは六面の板体で出来ている。板体の素材は、ハニカム状の段ボールで、全面再生紙を使用している。
【００２９】箱状のコーナー部に使用する固定型物は竹の粉を主原料としたプラスチックを使用している。
【００３０】板体の表面コートは小麦のフスマを主原料にした発砲シートを使用し、分泌物、水分の湿気を防いでいる。
【００３１】天蓋にあたる板部には、開閉できるのぞき窓を取り付けた。
【００３２】のぞき窓を開けた時に、遺体の悪臭が外にもれるのを防止するため、透明のプラスチックのフィルムを貼り、臭気を遮断した。
【００３３】［組立順序］
「Ｂ」側板・頭脚板「Ｂ−１」「Ｂ−２」各２ヶ所を広げる。
【００３４】広げた「Ｂ」側板・頭脚板の斜線部分に「Ｃ」底板をセットする。
【００３５】各側板「Ｂ−１」・頭脚側板「Ｂ−２」の下部を内側より押して４側面が直角に立っている事を確認してから、「Ｄ」の固定型物を差込み固定する。
【００３６】「Ｅ」コーナーシートの裏側の両部テープのセパレーターを剥がし、各コーナーの固定型物の下の部分に貼って完了。
【００３７】［発明の効果］
本発明は上記構成により、安価で保管に場所をとらず、緊急時にフレキシブルに対応することができ、環境に優しい、棺パックを提供することができる。
【図面の簡単な説明】
【図１】本発明に係る袋状棺パックの使用前平面図。
【図２】同袋状棺パックの使用前底面図。
【図３】同袋状棺パックの使用時側面図。
【図４】同袋状棺パックの別例の使用時側面図。
【符号の説明】
１０・・布体      １１．・・前後布部    １２・・左右布部
１３・・底布部    １４・・布縫付部
２０・・紐体      ２１・・長紐      ２２・・結び部
２４・・紐縫付部  ３０・・底板体
【図５】
同箱状棺パック組立図
【図６】
同箱状棺パック平面図
【図１】
2006167418.tif 000003
【図２】
2006167418.tif 000004
【図３】
2006167418.tif 000005
【図４】
2006167418.tif 000006
【図５】
2006167418.tif 000007
【図６】
2006167418.tif 000008
【手続補正書】
【提出日】平成17年3月14日(2005.3.14)
【手続補正２】
【補正対象書類名】特許請求の範囲
【補正対象項目名】全文
【補正方法】追加
【補正の内容】
【特許請求の範囲】
【請求項１】
袋状棺パックの場合袋部を布体とし、底部に底板体を配置したことを特徴とする。
・  底板体にはハニカム板体を素材とした事を特徴とする。
・  該袋部には紐体がついている事を特徴とする。
・  該組体を帯状に加工し、持ち運びを容易にした事を特徴とする。
【請求項２】
箱状棺パックの場合、板体部をハニカム段ボールにした事を特徴とする。
・該板体部のうち、天蓋部分に窓を取り付ける事を特徴とする。
【手続補正３】
【補正対象書類名】明細書
【補正対象項目名】全文
【補正方法】変更
【補正の内容】
【発明の詳細な説明】
【技術分野】
【０００１】この発明は、地震、災害など緊急時の遺体の保全、安置、保管、搬送火葬処理を容易にする棺パックに関する技術。
【背景技術】
【０００２】従来、緊急時の棺（柩）は、木材、合板等からなり、長方形箱型で上部を天蓋で覆い、接着剤又は、釘で組み立てたものが大部分であった。
現在の日本の棺桶の７０％が中国からの輸入であり、その殆どがフラッシュ棺といって合板材である。【０００３】このフラッシュ棺は、接着剤、化学塗料、化学繊維等が使用されており、焼却時のダイオキシンの発生の原因ともなっている。
しかも中国では、森林資源保護の為、海外輸出用棺桶の木材使用を禁止する措置を取っており、近い将来、中国からの棺桶の輸入がなくなる方向にある。また、欧米諸国では、森林資源破壊、大気汚染防止の為、火葬する地域は段ボール棺が主流になりつつある。【０００４】また、自治体は、災害時応急対策計画の中で、災害時の備蓄用として、死体収容袋、棺の備蓄を提唱しているが、従来の棺では、重量、大きさなど使いづらいし、保管スペースを多く要するという問題がある。即ち、常備品としての在庫は、倉庫に保管の為、相当のスペースを必要とするし、コスト、輸送の面からも制約を受ける事になる。【０００５】また、地震、洪水等の災害時、又は緊急時における過去の状況から推測すると要員不足は当然であり、従来商品では２人でのハンドリング、特に搬送移動、稼動は困難であるし、通信交通網の寸断で大型トラック、トレーラー輸送、鉄道貨物等の物流手段からの物資輸送には多くの問題があると考えられる。また、材質である天然木材の使用は、環境自然破壊となるばかりでなく、木材が変質する事もあり、また、含水比の関係から反り、曲がりが起こる事があった。
しかも遺体焼却の燃焼時間を短縮するには従来商品では焼却温度を上げる以外に方法がなく、温度上昇は燃料増加につながり、環境公害と自然破壊の面で問題があった。【０００６】阪神大震災の場合を例にあげると、死者６，４００人余りの遺体を火葬するのに、約３ヶ月の期間を要した。人間死体は長期経過すると大量の分泌物（水分）を発生する。その為従来の棺では保全できない。【０００７】従来技術としては、死体収容袋、そして棺桶と特許文献には、類似した技術のものがあるが、上記の問題点を総合的に解決する技術は未だ開発されていない。
【発明の開示】
【発明が解明しようとする課題】
【０００８】災害時に収容された遺体は、検死の後、汚水等を拭き取り棺桶にいれかえる事になっている。その為、袋と棺をセットにしたものが必要である。そこで、軽量かつコンパクトで保管や緊急時の運搬移動が簡便で大量需要、大量処理に備える事が出来、また焼却時のエネルギー消費を抑える事が出来る「棺パック」により従来技術の問題点を解決しようとするものである。
【課題を解決するための手段】
【０００９】遺体の持ち運びのために紐をつけた長方形のふろしき状の布体にした事。遺体のの背中の部分に当たる所にハニカム状板体を素材にした。このまま火葬にすることができるが、法で棺に入れ替える事になっているのでハニカム板状の段ボール（再生紙）を素材にした棺桶を作り、遺体を搜して歩く遺族の為にのぞき窓をつけた。
【００１０】災害現場より遺体を収容し、遺体現場で検死を受けて遺体の汚れを拭き取り、棺に入れ替えて、次に火葬にするという一連の作業を少ない人数で行うには、遺体になるべく触れずにスムーズに棺に入れ替えなければならない。そこで、軽量かつコンパクトで保管や緊急時の運搬・移動・稼動が簡便で、大量需要・大量処理に備える事が出来、また木材を使用しない環境にやさしく、焼却時のエネルギー消費を抑える事も出来る。また、袋状棺パックによれば、従来品と比べ組み立て操作が簡単になる上、素材は軽くて強いハニカムボード（段ボール）と大部分が帆布を縫製したものであり、廉価となる。また、材質及び原料の主体が綿糸、絹製品であり、金属・プラスチックは一切使用していないため森林伐採の環境破壊もなく、環境の問題をすべてクリアーする。
【００１１】しかも、折り畳み又は折り込むことでの軽薄短小を狙ったもので、保管倉庫も従来に比べスペースを取らない上、迅速なデリバリィと大量製品の出荷が可能であると同時に、ハンドリングに手間がかからない。また帯状に加工した帯び紐を手持ちハンガーとして、又は肩から掛けることで二人で持ち運び又は移動、可動の搬送を容易にした。しかも、そのまま棺に収容でき、棺への入れ替えの二重手間が省ける。更に、二人での搬送が容易となり、手数を大幅に少なくすることができる。
【００１２】地震、災害対策時の大量需要、大量処理に備えるための備蓄製品の長期保存収納が必要であり、材質変化の物質的、化学的な経年変化への備えと保管倉庫料の低減が図られる。また、過去の環境や状況から推測し通信交通網を寸断されるが、分散された防災備蓄倉庫への保管や、コンパクトにした荷物としてオートバイ、ヘリコプターなど物資輸送が容易になり、寝袋、安眠バックとしても転用できる。
【実施例】
【００１３】以下、本発明の実施の形態について図面を参照しながら説明する。
図１は本発明に係る実施例１の袋状棺パックの使用前平面図、図２は同袋状棺パックの使用前底面図、図３は同袋状棺パックの使用時側面図そして、図４は別の実施形態に係る袋状棺パックの使用時側面図である。【００１４】（全体形状）
本実施形態に係る袋状棺パックは図１に示すように、展開すると所定厚みで長方形の底板体３０と、該底板体３０の週部に配置される布体１０と、同底板体３０の長辺側両週部に配置される紐体２０とからなる。
（図１参照）【００１５】（布体１０）
底板体３０（詳細は後述）の外周の４辺に、例えば、帆布からなる布体１０が取り付けられる。即ち、底板体３０の長辺側の前後の両側には底板体３０の外形に合わせて幅４５ｃｍ、長さ１９０ｃｍの長方形状の前後布部１１が一体に取り付けられ、また、その短辺側の左右両側には幅３０ｃｍ、長さ６０ｃｍの長方形状の左右布部１２がそれぞれ一体に取り付けられる。【００１６】これらの布体１０の製造手段としては、底板体３０の周縁にそれぞれ個別に装着してもよいが、好ましい製造手段としては、図２に示すように、前後布部１１用として、底板体３０の大きさを含む大きさの布（１５０ｃｍ×１９０ｃｍ）を準備する。そして、その布に、左右布部１２用として、底板体３０の大きさを含む大きさの布体（６０ｃｍ×２５０ｃｍ）を交差するように縫製により装着する（布縫付部１４）。そして、上記前後布部１１用の布体と左右布部１２用の布体との重なり部分（底布部１３）に底板体３０が配置されることになる。この製造手段によれば、底板体３０部分は２枚の布体により支持されることになる。【００１７】なお、上記手段に代えて、前後布部１１用として、底板体３０の大きさを含む大きさの布体（１５０ｃｍ×１９０ｃｍ）を準備し、その布体の両側（１５ｃｍ側）に左右布部１２を縫製により装着してもよい。したがってこの製造手段によれば、底板体３０は１枚の布体によりしじされることになり、布の使用量がその分少なくてすむ。また、この布体１０の製造手段としては、１枚の帆布を十字状に裁断するだけで製造してもよく、布体の素材としては、帆布以外に防水・防臭機能が高い他の素材を用いてもよい。【００１８】（紐体２０）
上記いずれかの手段により一体化され、略十字形状に縫製された布体の中央部分（底板体３０が位置する部分）に、図２に示すように、１９０ｃｍ側の辺部に向けて、１２０ｃｍ程度の長さの紐帯２０を略等間隔に縫製により装着する（紐縫付部２４）。紐体２０は、袋状棺パックの持ち運びを容易にするために、帯状に加工されていることが望ましい。また、遺体を持ち上げることから、所定以上の引張力に対して耐えることができる素材が必要である。【００１９】（底板体３０）
上記のように紐体２０が装着された布体１０の中央部に底板体３０を配置させ、布体１０と一体化させる。底板体３０は、紙製のダンボールからなり、大きさは、例えば幅６０ｃｍ、長さ１９０ｃｍとする。その構造はハニカムボードとなっている。ハニカムボードは再生紙から製造（リサイクル）されたものを基本材とし、外装はフスマ（小麦かす）を主原料としたオカパックシート貼り（胴材に似た化粧紙）からなる。この素材によれば強度があるため担架として使用することも可能である。【００２０】（使用方法）
上記のように構成された袋状棺パックは、当然のことながら折りたたみが可能で、その外形は底板体３０の外形より若干大きい程度であり、厚みも底板体３０の厚みに加えて、布体１０の２〜３枚の厚みを加えた程度の厚みにしかならない。そして、この袋状棺パックに遺体を収納するときには、図１に示す状態に配置し、底板体３０上に遺体を載置した後、前後布部１１により遺体の頭部と足部を蔽い、次に、左右布部１２を遺体の上部を蔽って遺体をくるみ、紐体２０により固定する（結び部２２）。なお図４に示すように、紐体２０の内、両端部位置の紐体２０を長くして（長紐２１）、運搬者が肩にに掛けて運べる程度の長さにしておけば便利である。なお、紐体２０は、別途搬送用のものを付設してもよい。【００２１】（箱状棺パック）
箱状棺パックは六面の板体でできている。板体の素材は、ハニカム状の段ボールで、全面再生紙を使用している。【００２２】箱状のコーナー部に使用する固定型物は竹の粉を主原料としたプラスチックを使用している。【００２３】板体の表面コートは小麦のフスマを主原料にした発泡シートを使用し、分泌物、水分の湿気を防いでいる。【００２４】天蓋にあたる板部には、開閉できるのぞき窓を取り付けた。【００２５】のぞき窓を開けた時に、遺体の悪臭が外にもれるのを防止するため、透明のプラスチックのフィルムを貼り、臭気を遮断した。【００２６】
【組立順序】
「Ｂ」側板・頭脚板「Ｂ−１」「Ｂ−２」各２ヶ所を広げる。
【００２７】広げた「Ｂ」側板・頭脚板の「Ｂ」部分に「Ｃ」底板をセットする。
【００２８】各側板「Ｂ−１」・頭脚板「Ｂ−２」の下部を内側より押して４側面が直角に立っている事を確認してから、「Ｄ」の固定型物を差込み固定する。
【００２９】「Ｅ」コーナーシートの裏側の両面テープのセパレーターを剥がし、各コーナーの固定型物の下の部分に貼って完了。
【図面の簡単な説明】
【図１】本発明に係る袋状棺パックの使用前平面図。
【図２】同袋状棺パックの使用前底面図。
【図３】同袋状棺パックの使用時側面図。
【図４】同袋状棺パックの別例の使用時側面図。
【図５】同箱状棺パック組立図
【図６】同箱状棺パック平面図
【符号の説明】
１０・・布体      １１・・前後布部    １２・・左右布部
１３・・底布部    １４・・布縫付部
２０・・紐体      ２１・・長紐        ２２・・結び部
２４・・紐縫付部  ３０・・底板体      Ａ・・天板      Ｂ・・側板
Ｃ・・底板        Ｄ・・コーナー      Ｅ・・  コーナー